(57)【要約】【課題】クリップにより紙等のシート状の被挟持物を掲示したときに、被挟持物のフラつきを低減する。【解決手段】クリップ１は、下面に吸着部材が設けられる基盤２と、基盤２に回動自在に設けられる主板３と、主板３を基盤２に対して付勢する付勢手段と、を有し、基盤２は、前方側に下方に向けて下るよう傾斜される傾斜部２ａ１を備え、被挟持物を挟持する挟持部Ｐは、基盤２の傾斜部２ａ１に設けられる基盤側挟持部と、主板３側に設けられる主板側挟持部とにより形成される。【選択図】    図１
2017094652.tif 000002
【特許請求の範囲】
【請求項１】
下面に吸着部材が設けられる基盤と、
前記基盤に回動自在に設けられる主板と、
前記主板を前記基盤に対して付勢する付勢手段と、
を有し、
前記基盤は、前方側に下方に向けて下るよう傾斜される傾斜部を備え、
被挟持物を挟持する挟持部は、前記基盤の前記傾斜部に設けられる基盤側挟持部と、前記主板に設けられる主板側挟持部とにより形成されることを特徴とするクリップ。
【請求項２】
前記基盤側挟持部及び前記主板側挟持部の少なくとも何れか一方は、軟質弾性材料からなる挟持部材を備えることを特徴とする請求項１に記載のクリップ。
【請求項３】
前記傾斜部は、側面視凸湾曲状に形成されることを特徴とする請求項１又は請求項２に記載のクリップ。
【請求項４】
前記挟持部は、複数設けられることを特徴とする請求項１乃至請求項３の何れか記載のクリップ。
【発明の詳細な説明】
【技術分野】
【０００１】
本発明は、シート状の被挟持物を挟持して掲示することができるクリップに関する。
【背景技術】
【０００２】
従来から、シート状の被挟持物（例えば書面等の紙類等）を挟んで掲示するためのクリップが開示されている。例えば、特許文献１に開示されるクリップは、裏面基盤に対して回動される表面基盤がねじりコイルばねにより付勢されて、表面基盤先端部が裏面基盤先端部に圧接している。そして、表面基盤の表面及び裏面基盤の裏面には、それぞれマグネットが設けられている。このクリップによれば、ホワイトボード等にクリップを取り付けて、クリップに挟んだ紙等を掲示することができる。そして、クリップに挟んだ紙等の裏面を表側にして掲示したい場合には、クリップから紙を取り外して紙を裏返して再度クリップに挟持させるということを行わずに、クリップ表面側をホワイトボードに取り付けるだけでよい。
【先行技術文献】
【特許文献】
【０００３】
【特許文献１】特開２００８−１６２２２３号公報
【発明の概要】
【発明が解決しようとする課題】
【０００４】
特許文献１のクリップで紙を挟持してホワイトボード等の掲示面に取り付けると、挟持された紙の裏面と掲示面との間に空間が生じる。そうすると、挟持された紙がフラつくので、紙面に記載された文字等が見難くなる。
【０００５】
本発明の目的は、掲示状態におけるシート状の被挟持物のフラつきを低減することができるクリップを提供する。
【課題を解決するための手段】
【０００６】
本発明に係るクリップは、下面に吸着部材が設けられる基盤と、前記基盤に回動自在に設けられる主板と、前記主板を前記基盤に対して付勢する付勢手段と、を有し、前記基盤は、前記基盤の前方側に下方に向けて下るよう傾斜される傾斜部を備え、被挟持物を挟持する挟持部は、前記傾斜部に設けられる基盤側挟持部と、前記主板に設けられる主板側挟持部とにより形成される
【発明の効果】
【０００７】
本発明に係るクリップでシート状の被挟持物を挟持すると、被挟持物の上部は傾斜部に倣って傾斜して挟持される。すると、被挟持物に曲げ部が形成される。これにより、被挟持物の剛性が高まるので、シート状の被挟持物のフラつきが低減される。
【図面の簡単な説明】
【０００８】
【図１】本発明の実施形態に係るクリップを上前方右側からみた斜視図である。
【図２】本発明の実施形態に係るクリップを上後方左側からみた斜視図である。
【図３】本発明の実施形態に係るクリップを下後方左側からみた斜視図である。
【図４】本発明の実施形態に係るクリップの分解斜視図である。
【図５】本発明の実施形態に係るクリップが開いた状態を示す上前方右側からみた斜視図である。
【図６】本発明の実施形態に係るクリップが紙を挟持して掲示面に取り付けられた状態を示す側面図である。
【図７】本発明の実施形態に係るクリップが紙を挟持して掲示面に取り付けられた状態を示す斜視図である。
【発明を実施するための形態】
【０００９】
本発明の実施形態を図に基づいて説明する。図１〜図３に示すクリップ１は、左右方向が長く幅広とされている。クリップ１は、紙等のシート状の被挟持物を挟持する挟持部Ｐが２箇所に設けられている。なお、以下の説明においては、クリップ１の挟持部Ｐ側を前、挟持部Ｐ側の反対側を後として、後方から前方を見た場合における左側を左、右側を右として説明する。また、図１におけるクリップ１の上側を上、下側を下として説明する。
【００１０】
クリップ１は、クリップ１の下側に設けられる基盤２と、クリップ１の上側に設けられる主板３を有する。基盤２及び主板３は、両者ともに左右方向に長い略板状とされている。具体的には、図４に示されるように、基盤２は、略平板状の前半部２ａと、後半部２ｂを備える。後半部２ｂは、前半部２ａの中央部分から後方に向けて平面視台形状に突出して形成されている。基盤２の前半部２ａの前方側には、基盤２の上面から下方に向けて下るよう傾斜される傾斜部２ａ１が形成されている。傾斜部２ａ１は、基盤２の前半部２ａの長手方向に渡って形成されている。傾斜部２ａ１は、側面視凸湾曲状に形成されている（図６も参照）ので、高い意匠性を備える。基盤２側の基盤側挟持部Ｐ１は、この傾斜部２ａ１に設けられる。
【００１１】
傾斜部２ａ１の左右両端部近傍の基盤側挟持部Ｐ１には、それぞれ挟持部材４ａが設けられている。この基盤２に設けられる挟持部材４ａは、クリップ１の長手方向に長く形成されて上面は平坦状とされている。挟持部材４ａは、軟質弾性材料であるエラストマーにより形成されている。挟持部材４ａは、樹脂材料による射出成形で形成される基盤２とともに２色成形で形成されて、強固に基盤２に固定される。一方、基盤２の中央部には、後述の保持ピン７が挿通される保持ピン孔２ｃが形成されている。そして、保持ピン孔２ｃの左右両側には、それぞれ前後に長い矩形孔２ｄが形成されている。
【００１２】
図３に示すように、基盤２の下面には、吸着部材とされる磁石６が設けられている。磁石６は、クリップ１の長手方向に長い平面視長矩形に形成されている。そして、図４に主に示されるように、磁石６は、金属製の保持プレート５に収納される。保持プレート５は、プレート本体５ａを備える。プレート本体５ａは、クリップ１の長手方向に長い平面視長矩形として形成されている。プレート本体５ａは、側面視において開口部を下方に向けたコ字状に形成される。従って、プレート本体５ａは、左右側方が開口され、上面板５ａ１の前後にそれぞれ下方に延びる壁部５ａ２が形成される。磁石６は、前後の壁部５ａ２間とされるプレート本体５ａの開口部に収納される。この保持プレート５（プレート本体５ａ）はヨークとされて、磁石６が金属製のホワイトボード等の掲示面に吸着する際の吸着力を増加させている。プレート本体５ａの上面板５ａ１の左右両端縁辺からは、それぞれ軸支持部５ｂが上方に向けて立設されている。軸支持部５ｂには、それぞれ後述の軸９が挿通される軸孔５ｂ１が形成されている。軸支持部５ｂは、基盤２の矩形孔２ｄに挿通される。また、保持プレート５の上面板５ａ１の略中央やや前よりの位置には、孔５ａ３が設けられている。
【００１３】
図３に示すように、磁石６の左右両側には、それぞれ緩衝部材８が設けられている。緩衝部材８の下面は前後方向に複数の溝８ａが形成されている。緩衝部材８の下面は、図３の組立状態において磁石６の下面より僅かに突出している。そして、緩衝部材８は、それぞれラバー材料等の弾性材料で形成される。従って、緩衝部材８は、磁石６が掲示面に吸着する際に磁石６よりも先に掲示面に接触し、磁石６の吸着力により撓むので、クリップ１の使用による掲示面の傷等の破損が低減される。
【００１４】
図４に示すように、磁石６には、保持ピン７が挿通される孔６ａが設けられている。従って、磁石６は、保持ピン７が磁石６の孔６ａと保持プレート５の孔５ａ３及び基盤２の保持ピン孔２ｃに挿通されて、保持プレート５と共に基盤２に固定される。なお、保持ピン７は、上部鍔７ａが円筒状の軸７ｂと加締め加工等により接続される。これにより、基盤２、保持プレート５及び磁石６は、上部鍔７ａと下部鍔７ｃとの間に保持される。
【００１５】
一方、主板３は、図４に示すように、前方の左右両端部分が平面視略矩形状に張出す張出部３ａが形成されている。左右の張出部３ａ間は凹部３ｂとされている。主板３の中央部後方側は、この凹部３ｂの幅と同等の横幅を基端辺として平面視略台形状に突出する把持部３ｃが形成されている。把持部３ｃの後端縁辺部は上方に向けて湾曲して立ち上がる指掛け部３ｃ１とされている（図６も参照）。この指掛け部３ｃ１により指が掛けやすいので、基盤２の後半部２ｂと把持部３ｃとを指で把持してクリップ１の開閉を容易に行うことができるとともに、クリップ１の掲示状態においても把持部３ｃ（指掛け部３ｃ１）を押すだけでクリップ１を容易に開閉させることもできる。
【００１６】
図５に示すように、主板３の各張出部３ａの下面には、それぞれ主板３側の主板側挟持部Ｐ２が設けられる。各主板側挟持部Ｐ２は、挟持部材４ｂを備える。挟持部材４ｂは、クリップ１の長手方向に長く形成されており、側面視半円状に突出している（図６も参照）。各挟持部材４ｂは、軟質弾性材料であるエラストマーにより形成されている。２つの挟持部材４ｂは、樹脂材料により形成される主板３と共に、射出成形の２色成形で形成されて強固に主板３に固定されている。そして、主板３側の各挟持部材４ｂは、それぞれ基盤２側の挟持部材４ａと左右方向の長さを略同一に形成されている。
【００１７】
左右の各張出部３ａの表面側には、左右方向に長く僅かに突出して形成される凸部３ａ１がそれぞれ設けられている。各凸部３ａ１は、それぞれ長手方向を挟持部材４ａ，４ｂと略同一として端部を平面視凸円弧状とされている。各凸部３ａ１は、挟持部材４ａ，４ｂの位置が挟持部Ｐであることを示す目印とされている。
【００１８】
図５に示すように、主板３の下面には、２箇所に軸支持部３ｄが下方に突出して形成されている。各軸支持部３ｄは、軸孔に軸９が挿通される。組立状態においては、主板３の２つの軸支持部３ｄは、保持プレート５の各軸支持部５ｂの間に位置される。軸９は、保持プレート５の各軸支持部５ｂの軸孔５ｂ１と主板３の各軸支持部３ｄの軸孔に挿通される。このようにして、主板３は基盤２に対して回動自在に設けられる。そして、軸９は、外周にねじりコイルばね１０が巻回される。
【００１９】
図２に示すように、ねじりコイルばね１０は、２本の腕１０ａ，１０ｂを備える。一方の腕１０ａは、基盤２の後半部２ｂの上面に当接している。他方の腕１０ｂは、主板３の把持部３ｃの下面に当接している。このようにして、主板３は、基盤２に対して前方側が閉じる方向に付勢される。従って、図５に示すように、挟持部材４ａを備えて傾斜部２ａ１に形成される各基盤側挟持部Ｐ１は、挟持部材４ａを備える各主板側挟持部Ｐ２に当接可能に形成される。そして、各挟持部Ｐは、基盤側挟持部Ｐ１と主板側挟持部Ｐ２とにより構成される。
【００２０】
このクリップ１で紙Ｓを挟み、ホワイトボード等の掲示面３０にクリップ１を取り付けた状態を図６及び図７に示す。２箇所の挟持部Ｐでシート状の被挟持物である紙Ｓを挟むと、挟持部Ｐにおける紙Ｓ、すなわち挟持部材４ａ，４ｂで挟まれた紙Ｓの上部は、傾斜部２ａ１の傾斜方向に倣って傾斜して挟持される。すると、傾斜して挟持される紙Ｓの上部と掲示面３０とが交差する位置で、紙Ｓには側面視において紙Ｓの裏面側に向かって凸湾曲する曲げ部Ｓ１が形成される。そして、この曲げ部Ｓ１よりも下方における紙Ｓは、その裏面が掲示面３０と接触される。
【００２１】
このとき、曲げ部Ｓ１の作用により、紙Ｓの上部の剛性が高まる。従って、紙Ｓの上部における両端部のフラつきが低減される。そして、曲げ部Ｓ１の下方における紙Ｓの裏面は掲示面３０に接触されているので、紙Ｓの下方においても紙Ｓのフラつきが低減される。
【００２２】
また、図６に示すように、クリップ１では、挟持部Ｐにおいて挟持部材４ａ，４ｂが紙Ｓを挟持する際の保持力Ｆと紙Ｓの重量Ｇの関係は、下記の式で示される。
Ｆ＝μ・Ｆ１−Ｇｘ＋μ・Ｇｙ
＝μ・Ｆ１―Ｇ・ｃｏｓα＋μ・Ｇ・ｓｉｎα
ここで、挟持力Ｆ１はねじりコイルばね１０により主板３側の挟持部材４ｂが基盤２側の挟持部材４ａを押圧する力であり、μは挟持部材４ａ，４ｂによる摩擦係数、Ｇｘ，Ｇｙは紙の重量Ｇの分力、αは傾斜部２ａ１における底面からの傾斜角度である。
上記の式で示されるように、本実施形態のクリップ１では、紙Ｓの重量Ｇにおける紙Ｓに垂直な分力Ｇｙによる摩擦力μ・Ｇｙ（すなわちμ・Ｇ・ｓｉｎα）が生じて保持力Ｆに貢献する。ここで、傾斜部２ａ１が形成されずに基盤２の前方側が平坦な従来のクリップの場合には、α＝０°となるので、紙Ｓは、挟持力Ｆ１による摩擦力μ・Ｆ１のみで保持することとなる。従って、本実施形態に係るクリップ１によれば、紙Ｓの重量Ｇによる摩擦力μ・Ｇｙも紙Ｓの保持力Ｆに貢献するので、より確実に紙Ｓを保持することができる。なお、図６における上述の説明は、説明を簡単にするため１カ所の挟持部Ｐについて述べている。
【００２３】
さらに、各挟持部Ｐには、挟持部材として、基盤２側に挟持部材４ａが設けられ、主板３側には挟持部材４ｂが設けられる。各挟持部材４ａ，４ｂは、それぞれ軟質弾性材料としてのエラストマーにより形成されている。従って、紙Ｓを挟持した場合には、大きな摩擦力を得ることができる。これにより、ねじりコイルばね１０のばね定数を低くしても所定の保持力Ｆを備えることができるので、ねじりコイルばね１０のばね定数を低くしてクリップ１の開閉操作を柔らかくすることもできる。そして、基盤２側の挟持部材４ａの上面は平坦面とされ、主板３側の挟持部材４ｂは側面視半円形に突出して形成されている。従って、複数枚の紙をクリップ１で挟持した場合に主板３と基盤２のなす角βが小さくなっても、紙を１枚挟持する場合と同様に、主板３側の挟持部材４ｂは常に紙Ｓに対して略線接触する。そして、紙Ｓの裏面は平坦面とされる挟持部材４ａの上面と面接触している。これにより、主板３側の挟持部材４ｂにより高い面圧で紙Ｓを押えつつ基盤２側の挟持部材４ａの上面でこれを受けることができるので、複数枚の紙を挟持する場合でも紙を１枚挟持する場合と同等の摩擦力を得ることができる。
【００２４】
以上、本発明の実施形態を説明したが、本発明は本実施形態によって限定されることはなく、種々の変更を加えて実施することができる。例えば、基盤側挟持部Ｐ１及び主板側挟持部Ｐ２は、少なくとも一方に軟質弾性材料からなる挟持部材を設けても良いし、両者ともに軟質弾性部材からなる挟持部材を設けない構成としても良い。挟持部材を設けない場合には、基盤側挟持部Ｐ１や主板側挟持部Ｐ２に凹凸状の溝等の滑り止めを形成することもできる。また、基盤２の傾斜部２ａ１は、長手方向に渡って形成したが、基盤側挟持部Ｐ１の部分のみに傾斜部を形成しておくこともできる。なお、本実施形態においては、挟持部Ｐを２箇所に設けたが、１カ所のみとしてもよいし、３カ所以上設けるようにしてもよい。
【００２５】
また、挟持部材４ａ，４ｂは、エラストマーにより形成したが、その他の軟質弾性部材として、例えばシリコン等の各種のゴム材料等を用いることもできる。なお、本実施形態においては、基盤２と主板３の両者に挟持部材４ａ，４ｂを設けたが、何れか一方に挟持部材を設けても良い。また、本実施形態においては、吸着部材として磁石６を用いたが、吸盤や、クリップ下面を掲示面に係止する構造を備える吸着部材を用いることもできる。また、主板３を基盤２に対して付勢する付勢手段として、本実施形態においてはねじりコイルばね１０を用いたが、他の形式のばねや他の付勢手段を用いることもできる。
【符号の説明】
【００２６】
１      クリップ                      ２      基盤
２ａ    前半部                        ２ａ１  傾斜部
２ｂ    後半部                        ２ｃ    保持ピン孔
２ｄ    矩形孔                        ３      主板
３ａ    張出部                        ３ａ１  凸部
３ｂ    凹部                          ３ｃ    把持部
３ｃ１  指掛け部                      ３ｄ    軸支持部
４ａ    挟持部材                      ４ｂ    挟持部材
５      保持プレート                  ５ａ    プレート本体
５ａ１  上面板                        ５ａ２  壁部
５ａ３  孔                            ５ｂ    軸支持部
５ｂ１  軸孔                          ６      磁石
６ａ    孔                            ７      保持ピン
７ａ    上部鍔                        ７ｂ    軸
７ｃ    下部鍔                        ８      緩衝部材
８ａ    溝                            ９      軸
１０    ねじりコイルばね              １０ａ  腕
１０ｂ  腕                            ３０    掲示面
Ｐ      挟持部                        Ｐ１    基盤側挟持部
Ｐ２    主板側挟持部
【図１】
2017094652.tif 000003
【図２】
2017094652.tif 000004
【図３】
2017094652.tif 000005
【図４】
2017094652.tif 000006
【図５】
2017094652.tif 000007
【図６】
2017094652.tif 000008
【図７】
2017094652.tif 000009